【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
土工機器に固定された地面係合製品を監視するための監視システムであって、前記システムが、
土工機器に取り付けられた基部と、
使用中に摩耗を受ける外側表面と、使用中に前記製品が固定される前記土工機器の前記基部に対向する内側表面と、を有する、地面係合製品と、
前記製品を前記基部に固定するロックと、
前記製品及び前記ロックのうちの一方に固定される監視装置であって、前記監視装置が、前記製品の特性を識別するための電子装置と、前記特性に関する情報を無線通信するための通信装置と、を含み、前記通信装置が前記内側表面の外側にある、監視装置と、
前記監視装置から遠く離れており、前記通信装置と無線通信して、ユーザーが使用するための前記特性に関する情報を取得するリモート装置と、を備える、監視システム。
【請求項２】
前記内側表面が、前記基部を受容するための装着キャビティを画定する、請求項１に記載の監視システム。
【請求項３】
凹部が、前記製品の前記外側表面に画定され、前記監視装置が前記凹部に固定される、請求項１又は２に記載の監視システム。
【請求項４】
凹部が前記ロックに画定され、前記監視装置が前記凹部に固定される、請求項１又は２に記載の監視システム。
【請求項５】
前記製品が吊り上げ用アイベルトを含み、前記監視装置が前記吊り上げ用アイベルト内に含まれる、請求項１又は２に記載の監視システム。
【請求項６】
前記監視装置が、電池と、本体と、を含み、前記本体が、前記電子装置、前記通信装置、及び前記電池を合わせて保持する、請求項１〜５のいずれか一項に記載の監視システム。
【請求項７】
前記電子装置及び前記通信装置が単一構成要素に含まれる、請求項１〜６のいずれか一項に記載の監視システム。
【請求項８】
前記監視装置が、前記製品が前記基部に存在するかどうかを識別する、請求項１〜７のいずれか一項に記載の監視システム。
【請求項９】
前記監視装置が、前記製品に存在する磨耗量を識別する、請求項１〜８のいずれか一項に記載の監視システム。
【請求項１０】
前記監視装置が、前記製品の部品ＩＤ、状態、有無、使用法、及び性能のいずれか１つを識別する、請求項１〜７のいずれか一項に記載の監視システム。
【請求項１１】
前記製品の画像を取得するカメラと、前記ユーザーが前記監視装置によって検出された前記特性を確認するために前記画像を表示するディスプレイと、を含む、請求項１〜１０のいずれか一項に記載の監視システム。
【請求項１２】
前記製品の画像を取得するカメラと、前記カメラ及び前記監視装置の両方から受信した情報を処理して、ユーザーのために前記製品の特性を判定するプロセッサと、を含む、請求項１〜１１のいずれか一項に記載の監視システム。
【請求項１３】
前記監視装置によって識別された前記特性を受信し、処理するプロセッサと、ユーザーに情報を提供するディスプレイと、を含む、請求項１〜１１のいずれか一項に記載の監視システム。
【請求項１４】
前記リモート装置が前記製品に固定されている、請求項１〜１３のいずれか一項に記載の監視システム。
【請求項１５】
前記リモート装置が前記基部に固定される、請求項１〜１４のいずれか一項に記載の監視システム。
【請求項１６】
前記リモート装置が前記土工機器に固定される、請求項１〜１５のいずれか一項に記載の監視システム。
【請求項１７】
前記リモート装置が前記土工機器から分離している、請求項１〜１６のいずれか一項に記載の監視システム。
【請求項１８】
前記基部及び前記製品が第１採鉱機械に固定され、前記リモート装置が第２採鉱機械に固定される、請求項１７に記載の監視システム。
【請求項１９】
前記第２機械が、トラックトレーを備える運搬トラックであり、前記リモート装置が前記トラックトレーに固定される、請求項１８に記載の監視システム。
【請求項２０】
前記リモート装置が、運搬トラックが移動する道路上にあるステーションに固定される、請求項１７に記載の監視システム。
【請求項２１】
土工機器に固定された地面係合製品を監視するための監視システムであって、前記システムが、
土工機器に装着された複数の地面係合製品であって、それぞれの前記製品が、他の製品に対して比較的定位置にある、地面係合製品と、
前記土工機器に各製品を固定するためのロックと、
それぞれの前記製品又はそれぞれの前記ロック内の監視装置と、
前記監視装置と連携して、前記監視装置のそれぞれが、前記他の監視装置に対して比較的定位置にあり続けることを検出し、前記製品のいずれかが、前記他の製品に対して前記比較的定位置にあり続けることができないときは、いかなる場合でもユーザーに通信する、リモート装置と、を備える、監視システム。
【請求項２２】
それぞれの前記監視装置が、前記リモート装置によって受信される信号を伝送する、請求項２１に記載の監視システム。
【請求項２３】
それぞれの前記監視装置が、前記リモート装置によって受動的に検出される、請求項２１に記載の監視システム。
【請求項２４】
それぞれの前記製品が、使用中に磨耗を受ける外側表面と、使用中に前記製品が固定される前記土工機器に対向する内側表面と、前記製品の前記外側表面に画定される凹部と、を有し、前記監視装置が前記凹部に固定される、請求項２１〜２３のいずれか一項に記載の監視システム。
【請求項２５】
それぞれの前記ロックが凹部を含み、前記監視装置が前記凹部に固定される、請求項２１〜２３のいずれか一項に記載の監視システム。
【請求項２６】
地面係合製品を備える土工機器と、
前記土工機器とは無関係の異なる位置に移動可能なモバイル装置と、前記製品の特性に関するデータをリモートで取得する、前記モバイル装置上の電子装置と、ＧＰＳ装置と、を含む、監視装置と、
現場の別の部分で前記土工機器が作動するときに、前記取得したデータを処理して、前記製品の磨耗率を決定するプロセッサと、を備える、監視システム。
【請求項２７】
追加データを含むリモート装置を含み、前記プロセッサが、前記取得したデータと共に前記追加データを処理する、請求項２６に記載の監視システム。
【請求項２８】
バケットを備える掘削機械と、
トラックトレーを備える運搬トラックと、
前記土工機器とは無関係の異なる位置に移動可能なモバイル装置と、前記バケット内の物量及び前記トラックトレー内の物量に関するデータをリモートで取得する前記モバイル装置上の電子装置と、を含む監視装置と、
前記取得したデータを処理し、前記バケットに収集する前記物量に関するリアルタイム情報を前記掘削機械の操作者に提供して、前記トラックトレーの充填を続行する、又は充填する、プロセッサと、を備える、監視システム。
【請求項２９】
土工機器用地面係合製品であって、前記製品が、
使用中に摩耗を受ける外側表面と、使用中に前記製品が固定される前記土工機器の前記基部に対向する内側表面と、前記外側表面に対して開口する凹部と、を含む、摩耗性本体と、
前記凹部内に固定され、前記製品の特性を識別するための電子装置と、前記特性に関する情報をリモート装置に無線通信するための通信装置と、を含む、監視装置であって、前記通信装置が前記内側表面の外側にある、監視装置と、を含む、地面係合製品。
【請求項３０】
前記内側表面が、前記基部を受容するための装着キャビティを画定する、請求項２９に記載の地面係合製品。
【請求項３１】
前記監視装置が、電池と、本体と、を含み、前記本体が、前記電子装置、前記通信装置、及び前記電池を合わせて保持する、請求項２９又は３０に記載の地面係合製品。
【請求項３２】
前記電子装置及び前記通信装置が単一構成要素に含まれる、請求項２９〜３１のいずれか一項に記載の地面係合製品。
【請求項３３】
前記監視装置が、前記製品が前記基部に存在するかどうかを識別する、請求項２９〜３２のいずれか一項に記載の地面係合製品。
【請求項３４】
前記監視装置が、前記製品に存在する磨耗量を識別する、請求項２９〜３３のいずれか一項に記載の地面係合製品。
【請求項３５】
前記監視装置が、前記製品の部品ＩＤ、状態、有無、使用法、及び性能のいずれか１つを識別する、請求項２９〜３２のいずれか一項に記載の地面係合製品。
【請求項３６】
土工機器用地面係合製品であって、前記製品が、使用中に摩耗を受ける外側表面と、吊り上げ用アイベルトと、を含む、摩耗性本体と、前記製品の特性に関する情報をリモート装置に無線通信するための、前記吊り上げ用アイベルトに固定される監視装置と、を備える、地面係合製品。
【請求項３７】
前記吊り上げ用アイベルトが、前記摩耗性本体に機械的に固定されて、前記摩耗性本体から分離可能である、請求項３６に記載の地面係合製品。